(57)【要約】【課題】    部屋や玄関などの飾りに最適な照明飾り装置を提供する。【解決手段】  天板部材と前板部材、背板部材、左右側板部材と底板部材を木材や樹脂、金属などの光透過性を有しない方形状の板部材で構成して、各板部材を連結して箱状の角殻体を構成し、それぞれの各板部材に窓孔を設け、天板部材の窓孔は通り抜け可能な開放状態とし、前板部材、背板部材、左右側板部材の窓孔には、紙や樹脂、木材シートなどの光透過性を有する半透明部材で被覆し、底板部材の窓孔に発光部材を備える光源装置を嵌め込め、該光源装置の底部で外部に露出した箇所にスイッチ部材を設けて、発光部材を点灯した時に角殻体の内部より窓孔の半透明部材を介してほのかな灯りを楽しむようにしたことを特徴とする照明飾り装置。【選択図】図１
0003175002.tif 000002
【実用新案登録請求の範囲】
【請求項１】
天板部材と前板部材、背板部材、左右側板部材と底板部材を木材や樹脂、金属などの光透過性を有しない方形状の板部材で構成して、各板部材を連結して箱状の角殻体を構成し、それぞれの各板部材に窓孔を設け、天板部材の窓孔は通り抜け可能な開放状態とし、前板部材、背板部材、左右側板部材の窓孔には、紙や樹脂、木材シートなどの光透過性を有する半透明部材で被覆し、底板部材の窓孔に発光部材を備える光源装置を嵌め込め、該光源装置の底部で外部に露出した箇所にスイッチ部材を設けて、発光部材を点灯した時に角殻体の内部より窓孔の半透明部材を介してほのかな灯りを楽しむようにしたことを特徴とする照明飾り装置。
【請求項２】
光源装置の発光部材を、発光ダイオードで構成し、該発光ダイオードの電源である電池と、照明変化制御装置とを一体化して光源装置を構成し、該光源装置はオンオフ操作するスイッチ部材と開閉蓋を有する電池収納部を備えると共に、底板部材の窓孔に、光源装置を底板部材の内側に嵌め込め固定し、上記スイッチ部材と電池収納部の開閉蓋を底板部材の窓孔部に露出させて構成したことを特徴とする請求項１記載の照明飾り装置。
【請求項３】
天板部材の窓孔に、上方から香炉や芳香部材などの香り発生部材をはめ込んで支持したことを特徴とする請求項１又は２記載の照明飾り装置。
【請求項４】
天板部材と前板部材、背板部材、左右側板部材と底板部材を木製とし、前板部材、背板部材、左右側板部材を略同一形状に、且つ天板部材と底板部材を略同一形状に構成すると共に、半透明部材を和紙で構成したことを特徴とする請求項１乃至３記載の照明飾り装置。
【請求項５】
天板部材と前板部材、背板部材、左右側板部材と底板部材を連結して箱状の角殻体を構成したものが、手のひらに載るほどのコンパクトなサイズであることを特徴とする請求項請求項１乃至４記載の照明飾り装置。
【考案の詳細な説明】
【技術分野】
【０００１】  本考案は、部屋や床の間、玄関や廊下、飾り棚、卓上などの飾りに適するコンパクトな照明飾り装置に関する。
【背景技術】
【０００２】  従来、照明飾り装置として、部屋や廊下などに置く行燈などが古くから知られている。これらのものはいずれも大型のものが多く、例えば特許文献１「行燈型ディスプレイ装置」、特許文献２「照明器具」などのように、大型でスペース的にも目立つものが多かった。
【先行技術文献】
【特許文献】
【特許文献１】実用新案登録第３１２１８３７号公報
【特許文献２】特開２００５−３２５０６号公報
【考案の概要】
【考案が解決しようとする課題】
【０００３】  しかしながら、これら、特許文献１、２のような大型タイプのものはスペースが大きくて設置場所が限られて、飾り棚に置くなどして灯りを楽しむには不具合があるものである。
本考案の目的は、上記従来の不具合を改善する点にあり、コンパクトな照明飾りとして、電気配線を不要にして、コードレスの状態で、部屋や床の間、玄関や廊下、飾り棚、卓上などの飾りに適する照明飾り装置を提供するものである。
【課題を解決するための手段】
【０００４】  上記目的を達成するために、本考案は、第一に、天板部材と前板部材、背板部材、左右側板部材と底板部材を木材や樹脂、金属などの光透過性を有しない方形状の板部材で構成して、各板部材を連結して箱状の角殻体を構成し、それぞれの各板部材に窓孔を設け、天板部材の窓孔は通り抜け可能な開放状態とし、前板部材、背板部材、左右側板部材の窓孔には、紙や樹脂、木材シートなどの光透過性を有する半透明部材で被覆し、底板部材の窓孔に発光部材を備える光源装置を嵌め込め、該光源装置の底部で外部に露出した箇所にスイッチ部材を設けて、発光部材を点灯した時に角殻体の内部より窓孔の半透明部材を介してほのかな灯りを楽しむようにしたことを特徴とする照明飾り装置としたものであり、部屋や床の間、玄関や廊下、飾り棚、卓上などの飾りなどにできて、スイッチを入れて発光部材を点灯したときには灯りを楽しむことができる。【０００５】  第二に、光源装置の発光部材を、発光ダイオードで構成し、該発光ダイオードの電源である電池と、照明変化制御装置とを一体化して光源装置を構成し、該光源装置はオンオフ操作するスイッチ部材と開閉蓋を有する電池収納部を備えると共に、底板部材の窓孔に、光源装置を底板部材の内側に嵌め込め固定し、上記スイッチ部材と電池収納部の開閉蓋を底板部材の窓孔部に露出させて構成したことを特徴とする照明飾り装置としたものであり、単独電源を有するために電気配線の必要もなくどんな場所にでも設置できると共に、スイッチ部材のオンオフ操作や電池の交換が容易にでき、照明変化制御装置の灯り制御で、点滅したりゆらぎ灯りしたりの照明変化を楽しむことができる。【０００６】  第三に、天板部材の窓孔に、上方から香炉や芳香部材などの香り発生部材をはめ込んで支持したことを特徴とする照明飾り装置として、照明灯りの楽しみに加えて、芳香性を楽しむことができる。【０００７】  第四に、天板部材と前板部材、背板部材、左右側板部材と底板部材を木製とし、前板部材、背板部材、左右側板部材を略同一形状に、且つ天板部材と底板部材を略同一形状に構成すると共に、半透明部材を和紙で構成したことを特徴とする照明飾り装置としたもので、木質部材の香りと色合い、柔らかさを感じて楽しめると共に、各板部材の同一形状化を図って、加工、組み立てを容易にして、量産性の向上、コスト安価に生産できるものである。【０００８】  第五に、天板部材と前板部材、背板部材、左右側板部材と底板部材を連結して箱状の角殻体を構成したものが、手のひらに載るほどのコンパクトなサイズであることを特徴とする照明飾り装置として、野球ボールほどの大きさとして手のひらに載せても、愛らしく、どんなに小さなスペースにも、ちょっとした飾り感覚に置ける感じで、インテリアの飾りとして、灯り飾りとしての両面で楽しむことができる。
【考案の効果】
【０００９】  本考案の構成により、コンパクトな照明飾りが提供されて、部屋や床の間、玄関や廊下、飾り棚、卓上などの飾りに適する照明飾り装置として楽しめ、単独電源を有するために電気配線の必要もなくどんな場所にでも設置でき、スイッチを入れて発光部材を点灯したときには灯りを楽しむことができる。また、スイッチ部材のオンオフ操作や電池交換も容易にでき、照明変化制御装置の灯り制御で、点滅したり、あるいは、ゆらぎ灯りしたりする照明変化を楽しむことができる。さらに、木質部材の感覚を楽しんだり、芳香性も楽しむこともできる効果を奏する。
【図面の簡単な説明】
【００１０】
【図１】本考案照明飾り装置の全体斜視図である。
【図２】本考案照明飾り装置の正面断面図である。
【図３】本考案照明飾り装置の平面断面図である。
【図４】本考案照明飾り装置の実施形態を示す全体斜視図である。
【考案を実施するための形態】
【００１１】  本考案の実施の形態を図１〜図４に基づいて説明する。
本考案の照明飾り装置Ｋは、天板部材１と前板部材２、背板部材３、左右側板部材４，５と底板部材６を、木材や樹脂、金属などの光透過性を有しない方形状の板部材（厚みが５ミリ程度）で構成して、各板部材を、雄実形成加工などにして、接着あるいは釘止めなどで連結して、内部が空洞となっている箱状の角殻体（サイコロ形態）を構成し、それぞれの各板部材１，２，３，４，５，６に窓孔１ａ，２ａ，３ａ，４ａ，５ａ，６ａを設け、天板部材２の窓孔２ａは通り抜け可能な開放状態とし、前板部材２、背板部材３、左右側板部材４，５の窓孔２ａ，３ａ，４ａ，５ａには、紙や樹脂、木材シートなどの光透過性を有する半透明部材２ｂ，３ｂ，４ｂ，５ｂ，で被覆し、底板部材６の窓孔６ａに発光部材７を備える光源装置８を嵌め込め、該光源装置８の底部で外部に露出した箇所にスイッチ部材９を設けて、発光部材７を点灯した時に角殻体Ｋの内部より窓孔の半透明部材を介してほのかな灯りを楽しむようにされている。各半透明部材は任意に模様や文字などを記載して装飾効果をもたらすことができる。これにより、本考案の装置を照明飾り装置Ｋとして、部屋や床の間、玄関や廊下、飾り棚、卓上などの飾りなどにできて、スイッチ部材９のスイッチをＯＮに入れて発光部材７を点灯したときには灯りを楽しむことができる。
【００１２】  光源装置８の発光部材７を、発光ダイオードで構成されている。そして、該発光ダイオード７の電源である電池１０と、照明変化制御装置１１とを一体化して光源装置８を構成し、該光源装置８はオンオフ操作するスイッチ部材９と開閉蓋（図示省略）を有する電池収納部１０を備えると共に、底板部材６の窓孔６ａに、光源装置８を底板部材６の内側に嵌め込め固定し、上記スイッチ部材９と電池収納部１０の開閉蓋を底板部材の窓孔部に露出させて構成されているものであり、スイッチ部材９のオンオフ操作が容易にでき、また、電池交換も容易にすることができる。また、照明変化制御装置の灯り制御で、発光部材７が点滅したり、あるいは、ゆらぎ灯りしたりなどの照明変化をすることができて、灯り変化を楽しむことができる。
【００１３】  照明飾り装置Ｋの、天板部材１と前板部材２、背板部材３、左右側板部材４，５と底板部材６は、杉や檜などの芳香性に優れた木質部材で構成され、前板部材２、背板部材３、左右側板部材４，５を縦長方形状（縦８センチ×横６センチ程度）の略同一形状に、且つ天板部材１と底板部材６を正方形状（縦横６センチ程度）の略同一形状に構成すると共に、各板部材の接続角部を曲面に仕上げ加工し、窓孔の内側に添着される半透明部材は、和紙で構成するようにしておくと、和製的な雰囲気を醸し出して、木質部材の香りと色合い、柔らかさと和紙の暖かみを感じて楽しめると共に、各板部材の同一形状化を可及的に図って、加工、組み立てを容易にして、量産性の向上、コスト安価に生産できるものである。
【００１４】  また、照明飾り装置Ｋは、天板部材１と前板部材２、背板部材３、左右側板部材４，５と底板部材６を連結して箱状の角殻体を構成したものが、縦長立方体（縦８センチ×横６センチ×奥行き６センチ程度）で、手のひらに載るほどの軽量で、コンパクトなサイズであることを特徴とするもので、野球ボールほどの大きさとして、手のひらに載せても、愛らしく、どんなに小さなスペースにも、ちょっとした飾り感覚に置ける感じで、インテリアの飾りとして、また、灯り飾りとしても、両面で楽しむことができる。
【００１５】  さらに、天板部材１の窓孔１ａに、例えば図２の二点鎖線で図示するように、上部に笠状の皿部と軸状の台座を有するキノコ型に形成されている香炉１１の軸部を嵌め込んで止めることもでき、このように窓孔１ａを利用して、上方から香炉や芳香部材などの香り発生部材１１をアタッチメントとして吊り下げたり、はめ込んだりして支持させることで、照明飾りや、照明灯りの楽しみに加えて、芳香性を楽しむこともできる。
【符号の説明】
【００１６】１  天板部材
２  前板部材
３  背板部材
４  左側板部材
５  右側板部材
６  底板部材
７  発光部材
８  光源装置
９  スイッチ部材
１０  電池収納部
１１  香り発生部材
【図１】
0003175002.tif 000003
【図２】
0003175002.tif 000004
【図３】
0003175002.tif 000005
【図４】
0003175002.tif 000006